(57)【要約】【課題】  インク組成物やトナー組成物において色材や固形物の分散性を良好にし、記録物の反射濃度を良好するブロックポリマー化合物を提供する。【解決手段】  主鎖にアルケニルエーテル繰り返し構造を有するブロックポリマーからなり、アミンまたはその塩を含むブロックＡと、疎水性のブロックＢと、前記ブロックＡおよびブロックＢとは構造の異なる疎水性あるいは親水性のブロックＣとを含むブロックポリマー化合物。ブロックＡは、下記一般式（２）で表される繰り返し構造を含むブロックが好ましい。【化１】2006342267.tif 000009（式中、Ｄ’は炭素原子数１から１５までの直鎖状または分岐状の置換されていてもよい脂肪族または芳香族アミンあるいはアンモニウム塩を表す。）【選択図】        なし【特許請求の範囲】
【請求項１】
主鎖にアルケニルエーテル繰り返し構造を有するブロックポリマーからなり、アミンまたはその塩を含むブロックＡと、疎水性のブロックＢと、前記ブロックＡおよびブロックＢとは構造の異なる疎水性あるいは親水性のブロックＣとを含むことを特徴とするブロックポリマー化合物。
【請求項２】
前記アミンまたはその塩を含むブロックＡが、下記一般式（１）で表される繰り返し構造を含む請求項１記載のブロックポリマー化合物。
【化１】
2006342267.tif 000008
（式中、Ｘはポリアルケニル基を表す。Ａは炭素原子数１から１５までの直鎖状または分岐状のアルキル基あるいはアルキルエーテル基、Ｂは炭素原子数１から１５までの直鎖状または分岐状の置換されていてもよいアルキレン基を表す。ｎは０から３までの整数を表す。ｎが複数のときはそれぞれのＡは異なっていてもよい。Ｂは単結合または置換されていてもよいアルキレン基を表す。Ｄは脂肪族または芳香族のアミンまたはアンモニウム塩を表す。）
【請求項３】
請求項１または２記載のブロックポリマー化合物、溶媒または分散媒、及び機能性物質を含有することを特徴とする組成物。
【請求項４】
前記機能性物質が、前記ブロックポリマー化合物に内包されていることを特徴とする請求項３記載の組成物。
【請求項５】
請求項１または２記載のブロックポリマー化合物、溶媒または分散媒、及び色材を含有することを特徴とする記録材料。
【請求項６】
請求項５記載の記録材料を用意する工程と、前記記録材料を用いて媒体に画像を記録する工程とを有することを特徴とする画像記録方法。
【請求項７】
請求項５記載の記録材料を用いて、媒体に画像を記録させるための手段を有することを特徴とする画像記録装置。
【発明の詳細な説明】
【技術分野】
【０００１】
本発明は、各種機能材料として有用な新規なブロックポリマー化合物、それを用いた組成物、記録材料、及び画像記録方法並びに画像記録装置に関する。特にブロックポリマー化合物を溶媒または分散媒、色材とともに用いた記録材料、またその記録材料を使用した画像記録方法および画像記録装置に関する。
【背景技術】
【０００２】
従来より、色材を溶解したり、分散したりしてインク組成物やトナー組成物が調製されている。これには各種高分子材料が好ましく用いられており、例えばスチリル、アクリル、メタクリル系の高分子化合物が用いられている。それらの高分子化合物は界面活性高分子で、界面活性高分子のほとんどは、親水部として有機酸塩を用いている。また、特許文献１ではアンモニウム塩などのカチオン性界面活性剤の顔料分散剤を利用する方法も開示している。
【０００３】
また、一方でポリアルケニルエーテル主鎖を有する高分子化合物も柔軟性高分子鎖をもつ高分子として知られている。アルコール、カルボン酸、アミン（非特許文献１）など様々な官能基を有するブロックポリマー化合物がリビングカチオン重合により合成されており、高分子材料への展開が期待されている。
【特許文献１】特開平７−１４５３３６号公報
【非特許文献１】Ｓ．Ｋａｎａｏｋａ，“Ｊ．Ｐｏｌｙｍ．Ｓｃｉ．”Ｐａｒｔ  Ａ：Ｐｏｌｙｍｅｒ  Ｃｈｅｍｉｓｔｒｙ  １９９０，２８，１１２７
【発明の開示】
【発明が解決しようとする課題】
【０００４】
本発明は、上記事情に鑑みてなされたものであり、インク組成物やトナー組成物において色材や固形物の分散性を良好にし、記録物の反射濃度を良好するブロックポリマー化合物を提供するものである。
【０００５】
また、本発明は、上記のブロックポリマー化合物を用いた液体組成物、トナー組成物等の記録材料を使用した画像記録方法および画像記録装置を提供するものである。
【課題を解決するための手段】
【０００６】
本発明者らは、鋭意検討した結果、下記に示す本発明を完成するに至った。
本発明の第１の発明は、主鎖にアルケニルエーテル繰り返し構造を有するブロックポリマーからなり、アミンまたはその塩を含むブロックＡと、疎水性のブロックＢと、前記ブロックＡおよびブロックＢとは構造の異なる疎水性あるいは親水性のブロックＣとを含むことを特徴とするブロックポリマー化合物である。
【０００７】
前記アミンまたはその塩を含むブロックＡが、下記一般式（１）で表される繰り返し構造を含むブロックポリマー化合物が好ましい。
【０００８】
【化１】
2006342267.tif 000002
【０００９】
（式中、Ｘはポリアルケニル基を表す。Ａは炭素原子数１から１５までの直鎖状または分岐状のアルキル基あるいはアルキルエーテル基、Ｂは炭素原子数１から１５までの直鎖状または分岐状の置換されていてもよいアルキレン基を表す。ｎは０から３までの整数を表す。ｎが複数のときはそれぞれのＡは異なっていてもよい。Ｂは単結合または置換されていてもよいアルキレン基を表す。Ｄは脂肪族または芳香族のアミンまたはアンモニウム塩を表す。）
第２の発明は、前記ブロックポリマー化合物、溶媒または分散媒、及び機能性物質を含有することを特徴とする組成物である。
【００１０】
前記機能性物質が、前記ブロックポリマー化合物に内包されていることが好ましい。
第３の発明は、前記ブロックポリマー化合物、溶媒または分散媒、及び色材を含有することを特徴とする記録材料である。
【００１１】
第４の発明は、前記記録材料を用意する工程と、前記記録材料を用いて媒体に画像を記録する工程とを有することを特徴とする画像記録方法である。
第５の発明は、前記記録材料を用いて、媒体に画像を記録させるための手段を有することを特徴とする画像記録装置である。
【発明の効果】
【００１２】
本発明は、色材や固形物の分散性を良好にし、記録物の反射濃度を良好するブロックポリマー化合物を提供することができる。
また、本発明のブロックポリマー化合物は、溶媒または分散媒、色材とともに配合することにより、分散性が良好で、記録物の反射濃度が良好なインク組成物、トナー組成物等の組成物および記録材料を提供することができる。
【００１３】
また、本発明のブロックポリマー化合物を用いたインク組成物、トナー組成物等の記録材料を使用した画像記録方法および画像記録装置を提供することができる。
【発明を実施するための最良の形態】
【００１４】
以下、本発明を詳細に説明する。
本発明のブロックポリマー化合物は、主鎖にアルケニルエーテル繰り返し構造を有するブロックポリマーからなり、アミンまたはその塩を含むブロックＡと、疎水性のブロックＢと、前記ブロックＡおよびブロックＢとは構造の異なる疎水性あるいは親水性のブロックＣとを含むことを特徴とする。
【００１５】
前記アミンまたはその塩を含むブロックＡは、下記一般式（１）で表される繰り返し構造を含むブロックが用いられる。
【００１６】
【化２】
2006342267.tif 000003
【００１７】
（式中、Ｘはポリアルケニル基を表す。Ａは炭素原子数１から１５までの直鎖状または分岐状のアルキル基あるいはアルキルエーテル基、Ｂは炭素原子数１から１５までの直鎖状または分岐状の置換されていてもよいアルキレン基を表す。ｎは０から３までの整数を表す。ｎが複数のときはそれぞれのＡは異なっていてもよい。Ｂは単結合または置換されていてもよいアルキレン基を表す。Ｄは脂肪族または芳香族のアミンまたはアンモニウム塩を表す。）
さらには、前記ブロックポリマー化合物のブロックＡの一般式（１）で表される繰り返し構造の好ましい構造は、下記一般式（２）で表される繰り返し構造を含むブロックが挙げられる。
【００１８】
【化３】
2006342267.tif 000004
【００１９】
（式中、Ｄ’は炭素原子数１から１５までの直鎖状または分岐状の置換されていてもよい脂肪族または芳香族アミンあるいはアンモニウム塩を表す。）
一般式（２）のＤ’の具体的な例は、ＮＨ2 、ＣＨ2 ＮＨ2 、ＣＨ2 ＣＨ2 ＮＨ2 、ＯＣＨ2 ＮＨ2 、ＯＣＨ2 ＣＨ2 ＮＨ2 、ＰｈＮＨ2 、Ｐｈ−Ｐｈ−ＮＨ2 およびそのＮ−アルキル化物或は塩などが挙げられるが、これらに限定するものではない。
【００２０】
本発明のブロックポリマー化合物は、柔軟で極性溶媒への親和性のあるポリアルケニルエーテル繰り返し構造を含む主鎖と、ブロックＡに一般式（１）で表されるアミンまたはアンモニウム塩構造を有するため、水などの極性溶媒に機能性物質を良好に分散することができる。前記ポリマー化合物が色材の分散剤として用いられる場合は、良好な分散性に加えて、一般式（１）で表されるアミノ基またはアンモニウム塩が、被記録媒体への分散体の浸透速度を遅くすることで、従来の一般的なスチレン−（メタ）アクリル系分散剤を用いた場合よりも、記録物の反射濃度を増加することができる場合が多い。
【００２１】
前記ブロックポリマー化合物において、一般式（１）または（２）で表される繰り返し単位を含有するブロックＡの含有量は０．１〜９０ｍｏｌ％が好ましい。さらに好ましくは、０．１〜５０ｍｏｌ％である。０．１ｍｏｌ％未満では分散体の分散性が充分得られない場合がある。
【００２２】
前記ブロックポリマー化合物の疎水性ブロックＢは、分散する機能性物質と親和性の高い疎水基を有するものが好ましく、例えばアルキル基や芳香族基を側鎖にもつものがよい。具体例は、下記の一般式（３）で表される繰り返し単位が挙げられるが、それに限定されるものではない。
【００２３】
【化４】
2006342267.tif 000005
【００２４】
一般式（３）中、Ｅは置換されていてもよい炭化水素基もしくは芳香族基である。例えば、ＯＣＨ2 ＣＨ2 ＣＨ3 、ＯＣＨ（ＣＨ3 ）2 、ＯＣＨ2 ＣＨ（ＣＨ3 ）2 、ＯＰｈ、ＯＰｈＣＨ3 が好ましい。
【００２５】
前記ブロックポリマー化合物において、一般式（３）で表される繰り返し単位を含有するブロックＢの含有量は２０〜８０ｍｏｌ％が好ましい。さらに好ましくは、３０〜７０ｍｏｌ％である。
【００２６】
前記ブロックポリマー化合物の前記一般式（３）で表される繰り返し構造を含む疎水性ブロックＢと、一般式（１）で表される繰り返し構造を含むブロックＡ以外のもう一つの疎水性あるいは親水性ブロックＣは、上記疎水性ブロックの一つであるか、非イオン性親水基を含むものが好ましい。具体例は、下記の一般式（４）で表される繰り返し単位が挙げられるが、それに限定されるものではない。
【００２７】
【化５】
2006342267.tif 000006
【００２８】
一般式（４）中、Ｊは置換されていてもよい炭化水素もしくは芳香族基または、オリゴエーテル基である。例えば、ＯＣＨ2 ＣＨ2 ＣＨ3 、ＯＣＨ（ＣＨ3 ）2 、ＯＣＨ2 ＣＨ（ＣＨ3 ）2 、ＯＰｈ、ＯＰｈＣＨ3 、ＯＣＨ3 、ＯＣＨ2 ＣＨ2 ＯＣＨ3 、ＯＣＨ2 ＣＨ2 ＯＣＨ2 ＣＨ3 、ＯＣＨ2 ＣＨ2 ＯＣＨ2 ＣＨ2 ＯＣＨ2 ＣＨ2 ＯＣＨ3 が好ましい。
【００２９】
前記ブロックポリマー化合物において、一般式（４）で表される繰り返し単位を含有するブロックＣの含有量は５〜７０ｍｏｌ％が好ましい。さらに好ましくは、１０〜５０ｍｏｌ％である。
【００３０】
本発明のブロックポリマー化合物の数平均分子量は、１０００〜３０万、好ましくは３０００〜２５０００が望ましい。１０００未満だと分散体の分散性が充分得られない場合がある。また３０万を超えると塗工液の粘度が大きくなり均一に機材に塗布できない場合がある。
【００３１】
本発明のブロックポリマー化合物の製造方法は、リビングカチオン重合で行うことができるが、これに限定されるものではない。
次に、本発明の組成物は、前記ブロックポリマー化合物、溶媒または分散媒、及び機能性物質を含有することを特徴とする。
【００３２】
本発明の組成中に用いられる機能性物質は、本発明の組成物の重量に対して、０．１〜５０質量％が好ましい。また、溶解性の物質であってもよく、染料や分子性触媒等も用いることができる。
【００３３】
本発明において、機能性物質が前記ブロックポリマー化合物に内包し分散した場合、より安定して分散させることが可能となるため、より好ましい。前記機能性物質がブロックポリマー化合物に内包されているとは、ブロックポリマーが機能性物質の表面の一部または全体に吸着している状態である。
【００３４】
また、本発明の組成中に含有されるブロックポリマー化合物は、本発明の組成物の重量に対して、０．５〜９８質量％が好ましい。
さらに、本発明の組成物の例として、溶媒または分散媒、色材および前記ブロックポリマー化合物を含有する記録材料が挙げられる。
【００３５】
記録材料としては、具体的には、バインダー樹脂等の分散媒、色材および前記ブロックポリマー化合物を含有するトナー組成物が挙げられる。
また、溶媒、色材および前記ブロックポリマー化合物を含有するインク組成物が挙げられる。
【００３６】
以下、本発明の好ましい一形態であるインク組成物について説明する。
本発明のインク組成物に含有される前記ブロックポリマー化合物の含有量は、０．１質量％以上９０質量％以下、好ましくは１質量％以上８０質量％以下の範囲である。インクジェットプリンター用としては、好ましくは１質量％以上３０質量％以下である。
【００３７】
次に、本発明のインク組成物に含有さるブロックポリマー化合物以外の他の成分について説明する。他の成分には、有機溶剤、水、水性溶媒、色材、添加剤等が含まれる。
［有機溶剤］
有機溶剤としては、炭化水素系溶剤、芳香族系溶剤、エーテル系溶剤、アルコール系溶剤、ケトン系溶剤、エステル系溶剤、アミド系溶剤等が挙げられる。
【００３８】
［水］
水としては、金属イオン等を除去したイオン交換水、純水、超純水が好ましい。
［水性溶媒］
水性溶剤としては、例えば、エチレングリコール、ジエチレングリコール、トリエチレングリコール、ポリエチレングリコール、プロピレングリコール、ポリプロビレングリコール、グリセリン等の多価アルコール類、エチレングリコールモノメチルエーテル、エチレングリコールモノエチルエーテル、エチレングリコールモノブチルエーテル、ジエチレングリコールモノエチルエーテル、ジエチレングリコールモノブチルエーテル等の多価アルコールエーテル類、Ｎ−メチル−２−ピロリドン、置換ピロリドン、トリエタノールアミン等の含窒素溶媒等を用いることができる。また、水性分散物の記録媒体上での乾燥を速めることを目的として、メタノール、エタノール、イソプロピルアルコール等の一価アルコール類を用いることもできる。
【００３９】
本発明のインク組成物において、上記有機溶剤、水および水性溶媒の含有量は、インク組成物の全重量に対して、２０〜９５質量％の範囲で用いるのが好ましい。さらに好ましくは３０〜９０質量％の範囲である。
【００４０】
［色材］
本発明のインク組成物には、顔料および染料等の色材が含有され、好ましくは顔料が用いられる。
【００４１】
以下にインク組成物に使用する顔料および染料の具体例を示す。
顔料は、有機顔料および無機顔料のいずれでもよく、インクに用いられる顔料は、好ましくは黒色顔料と、シアン、マゼンタ、イエローの３原色顔料を用いることができる。なお、上記に記した以外の色顔料や、無色または淡色の顔料、金属光沢顔料等を使用してもよい。また、本発明のために、新規に合成した顔料を用いてもよい。
【００４２】
以下に、黒、シアン、マゼンタ、イエローにおいて、市販されている顔料を例示する。
黒色の顔料としては、Ｒａｖｅｎ１０６０、（コロンビアン・カーボン社製）、ＭＯＧＵＬ−Ｌ、（キャボット社製）、Ｃｏｌｏｒ  Ｂｌａｃｋ  ＦＷ１（デグッサ社製）、ＭＡ１００（三菱化学社製）等を挙げることができるが、これらに限定されない。
【００４３】
シアン色の顔料としては、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、等が挙げられるが、これらに限定されない。
【００４４】
マゼンタ色の顔料としては、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、等が挙げられるが、これらに限定されない。
【００４５】
イエローの顔料としては、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−１２８、Ｃ．Ｉ．Ｐｉｇｍｅｎｔ  Ｙｅｌｌｏｗ−１２９、等が挙げられるが、これらに限定されない。
【００４６】
また、本発明の組成物では、水に自己分散可能な顔料も使用できる。水分散可能な顔料としては、顔料表面にポリマーを吸着させた立体障害効果を利用したものと、静電気的反発力を利用したものとがあり、市販品としては、ＣＡＢ−０−ＪＥＴ２００、ＣＡＢ−０−ＪＥＴ３００（以上キャボット社製）、Ｍｉｃｒｏｊｅｔ  Ｂｌａｃｋ  ＣＷ−１（オリエント化学社製）等が挙げられる。
【００４７】
本発明のインク組成物に用いられる顔料は、インク組成物の重量に対して、０．１〜５０質量％が好ましい。顔料の量が、０．１質量％以上であれば、好ましい画像濃度が得られ、５０質量％以下であれば、好ましい定着性が得られる。さらに好ましい範囲としては０．５質量％から３０質量％の範囲である。
【００４８】
また、本発明のインク組成物では染料も使用することができる。以下に述べるような直接染料、酸性染料、塩基性染料、反応性染料、食品用色素の水溶性染料、又は分散染料の不溶性色素を用いることができる。
【００４９】
例えば、水溶性染料としては、Ｃ．Ｉ．ダイレクトブラック，−１７，−６２，−１５４；Ｃ．Ｉ．ダイレクトイエロー，−１２，−８７，−１４２；Ｃ．Ｉ．ダイレクトレッド，−１，−６２，−２４３；Ｃ．Ｉ．ダイレクトブルー，−６，−７８，−１９９；Ｃ．Ｉ．ダイレクトオレンジ，−３４，−６０；Ｃ．Ｉ．ダイレクトバイオレット，−４７，−４８；Ｃ．Ｉ．ダイレクトブラウン，−１０９；Ｃ．Ｉ．ダイレクトグリーン，−５９等の直接染料、
Ｃ．Ｉ．アシッドブラック，−２，−５２，−２０８；Ｃ．Ｉ．アシッドイエロー，−１１，−２９，−７１；Ｃ．Ｉ．アシッドレッド，−１，−５２，−３１７；Ｃ．Ｉ．アシッドブルー，−９，−９３，−２５４；Ｃ．Ｉ．アシッドオレンジ，−７，−１９；Ｃ．Ｉ．アシッドバイオレット，−４９等の酸性染料、  Ｃ．Ｉ．リアクティブブラック，−１，−２３，−３９；Ｃ．Ｉ．リアクティブイエロー，−２，−７７，−１６３；Ｃ．Ｉ．リアクティブレッド，−３，−１１１，−２２１；Ｃ．Ｉ．リアクティブブルー，−２，−１０１，−２１７；Ｃ．Ｉ．リアクティブオレンジ，−５，−７４，−９９；Ｃ．Ｉ．リアクティブバイオレット，−１，−２４，−３８；Ｃ．Ｉ．リアクティブグリーン，−５，−１５，−２３；Ｃ．Ｉ．リアクティブブラウン，−２，−１８，−３３等の反応染料；
Ｃ．Ｉ．ベーシックブラック，−２；Ｃ．Ｉ．ベーシックレッド，−１，−１２，−２７；Ｃ．Ｉ．ベーシックブルー，−１，−２４，；Ｃ．Ｉ．ベーシックバイオレット，−７，−１４，−２７；Ｃ．Ｉ．フードブラック，−１，−２等が挙げられる。
【００５０】
また、油溶性染料として、以下に、各色の市販品を例示する。
黒色の油溶性染料としては、Ｃ．Ｉ．Ｓｏｌｖｅｎｔ  Ｂｌａｃｋ−３，−２２：１，−５０等が挙げられるが、これらに限定されない。
【００５１】
イエローの油溶性染料としては、Ｃ．Ｉ．Ｓｏｌｖｅｎｔ  Ｙｅｌｌｏｗ−１，−２５：１，−１７２等が挙げられるが、これらに限定されない。
オレンジの油溶性染料としては、Ｃ．Ｉ．Ｓｏｌｖｅｎｔ  Ｏｒａｎｇｅ−１，−４０：１，−９９等が挙げられるが、これらに限定されない。
【００５２】
レッドの油溶性染料としては、Ｃ．Ｉ．Ｓｏｌｖｅｎｔ  Ｒｅｄ−１，−１１１，−２２９等が挙げられるが、これらに限定されない。
バイオレットの油溶性染料としては、Ｃ．Ｉ．Ｓｏｌｖｅｎｔ  Ｖｉｏｌｅｔ−２，−１１，−４７等が挙げられるが、これらに限定されない。
【００５３】
ブルーの油溶性染料としては、Ｃ．Ｉ．Ｓｏｌｖｅｎｔ  Ｂｌｕｅ−２，−４３，−１３４等が挙げられるが、これらに限定されない。
グリーンの油溶性染料としては、Ｃ．Ｉ．Ｓｏｌｖｅｎｔ  Ｇｒｅｅｎ−１，−２０，−３３等が挙げられるが、これらに限定されない。
【００５４】
ブラウンの油溶性染料としては、Ｃ．Ｉ．Ｓｏｌｖｅｎｔ  Ｂｒｏｗｎ−１，−１２，−５８等が挙げられるが、これらに限定されない。
なお、これら上記の色材の例は、本発明のインクに対して好ましいものであるが、本発明のインク組成物に使用する色材は上記色材に特に限定されるものではない。本発明のインク組成物に用いられる染料は、インクの重量に対して、０．１〜５０質量％が好ましい。
【００５５】
［添加剤］
本発明の組成物には、必要に応じて、種々の添加剤、助剤等を添加することができる。添加剤の一つとして、顔料を溶媒中で安定に分散させる分散安定剤がある。本発明の組成物は、ポリビニルエーテル構造を含むポリマーにより、顔料のような粒状固体を分散させる機能を有しているが、分散が不十分である場合には、他の分散安定剤を添加してもよい。
【００５６】
他の分散安定剤として、親水性疎水性両部を持つ樹脂あるいは界面活性剤を使用することが可能である。親水性疎水性両部を持つ樹脂としては、例えば、親水性モノマーと疎水性モノマーの共重合体が挙げられる。
【００５７】
親水性モノマーとしては、アクリル酸、メタクリル酸、マレイン酸、フマル酸、または前記カルボン酸モノエステル類、ビニルスルホン酸、スチレンスルホン酸、ビニルアルコール、アクリルアミド、メタクリロキシエチルホスフェート等、疎水性モノマーとしては、スチレン、α−メチルスチレン等のスチレン誘導体、ビニルシクロヘキサン、ビニルナフタレン誘導体、アクリル酸エステル類、メタクリル酸エステル類等が挙げられる。共重合体は、ランダム、ブロック、およびグラフト共重合体等の様々な構成のものが使用できる。もちろん、親水性、疎水性モノマーとも、前記に示したものに限定されない。
【００５８】
界面活性剤としては、アニオン性、非イオン性、カチオン性、両イオン性活性剤を用いることができる。アニオン性活性剤としては、脂肪酸塩、アルキル硫酸エステル塩、アルキルアリールスルホン酸塩、アルキルジアリールエーテルジスルホン酸塩、ジアルキルスルホコハク酸塩、アルキルリン酸塩、ナフタレンスルホン酸フォルマリン縮合物、ポリオキシエチレンアルキルリン酸エステル塩、グリセロールボレイト脂肪酸エステル等が挙げられる。非イオン性活性剤としては、ポリオキシエチレンアルキルエーテル、ポリオキシエチレンオキシプロピレンブロックコポリマー、ソルビタン脂肪酸エステル、グリセリン脂肪酸エステル、ポリオキシエチレン脂肪酸エステル、ポリオキシエチレンアルキルアミン、フッ素系、シリコン系等が挙げられる。カチオン性活性剤としては、アルキルアミン塩、第４級アンモニウム塩、アルキルピリジニウム塩、アルキルイミダゾリウム塩等が挙げられる。両イオン性活性剤としては、アルキルベタイン、アルキルアミンオキサイド、ホスファジルコリン等が挙げられる。なお、界面活性剤についても同様、前記に限定されるものではない。
【００５９】
さらに、本発明の組成物には、必要に応じて水性溶剤を添加することができる。特にインクジェット用インクに用いる場合、水性溶剤は、インクのノズル部分での乾燥、インクの固化を防止するために用いられ、単独または混合して用いることができる。水性溶剤は、上述のものがそのまま当てはまる。その含有量としては、インクの場合、インクの全重量の０．１〜６０質量％、好ましくは１〜４０質量％の範囲である。
【００６０】
その他の添加剤としては、例えばインクとしての用途の場合、インクの安定化と記録装置中のインクの配管との安定性を得るためのｐＨ調整剤、記録媒体へのインクの浸透を早め、見掛けの乾燥を早くする浸透剤、インク内での黴の発生を防止する防黴剤、インク中の金属イオンを封鎖し、ノズル部での金属の析出やインク中で不溶解性物の析出等を防止するキレート化剤、記録液の循環、移動、あるいは記録液製造時の泡の発生を防止する消泡剤、酸化防止剤、防カビ剤、粘度調整剤、導電剤、紫外線吸収剤等も添加することができる。
【００６１】
本発明のインク組成物を調製するには、上記構成成分を混合し、均一に溶解又は分散することにより調製することができる。たとえば、構成成分の複数を混合し、サンドミルやボールミル、ホモジナイザー、ナノマイザー等により破砕、分散しインク母液を作成し、これに溶媒や添加剤を加え物性を調整することにより調整することができる。
【００６２】
次に、本発明のトナー組成物について説明する。トナー組成物は、具体的には、バインダー樹脂等の分散媒、色材および前記ブロックポリマー化合物を含有する。
本発明のトナー組成物に含有される前記ブロックポリマー化合物の含有量は、０．１質量％以上９０質量％以下の範囲で用いられる。好ましくは０．５質量％以上８０質量％以下である。
【００６３】
また、本発明のブロックポリマー化合物はバインダー樹脂そのものとしても使用可能であるし、スチレンアクリル樹脂やポリエステル樹脂等のバインダー樹脂とともに用いることも可能である。
【００６４】
次に、本発明のトナー組成物に含有さるブロックポリマー化合物以外の他の成分について説明する。他の成分には、バインダー樹脂、色材（顔料、染料）、帯電制御剤、離型剤、外添剤、磁性粒子等が含まれる。
【００６５】
バインダー樹脂としては、スチレンアクリル共重合体、ポリエステル、ポリカーボネート等が例として挙げられる。バインダー樹脂の含有量は、好ましくは１０質量％以上９９質量％以下で用いられる。
【００６６】
色材としては前記インク組成物の説明で記載した、顔料や染料が使用可能である。色材の含有量は、０．１質量％以上５０質量％以下で用いられる。
帯電制御剤としては、金属−アゾ錯体、トリフェニルメタン系染料、ニグロシン、アンモニウム塩等が例として挙げられる。帯電制御剤の含有量は０．１質量％以上３０質量％以下で用いられる。
【００６７】
他に離型剤としては、合成ワックス、天然ワックスが例として挙げられる。外添剤としては、シリカ、アルミナ、チタニア等の無機微粒子、ポリフッ化ビニリデン（ＰＶＤＦ）、ポリテトラフルオロエチレンなどの樹脂微粒子が例として挙げられる。
【００６８】
磁性粒子としては例えばマグネタイト、ヘマタイト、フェライト等が挙げられる。トナー組成物としては以上の成分を必ずしも全て含まなくても機能し得るし、また以上に記載されていない成分を含んでもよい。
【００６９】
本発明のトナー組成物を調製する方法としては、例えば、以上に述べた構成成分を混合、溶融混煉し均一に混合した後、スピードミルやジェットミルで破砕して作製し、分球して所望のサイズのトナーを得る。このトナーに外添剤を加えミキサーで混合することにより調製することができる。
【００７０】
次に、本発明の組成物を用いる画像記録方法、液体付与方法および画像記録装置について説明する。
［画像記録方法、液体付与方法および画像記録装置］
本発明のインク組成物は、各種印刷法、インクジェット法、電子写真法等の様々な画像記録方法および装置に使用でき、この装置を用いた画像記録方法により描画することができる。また、液体組成物を用いる場合、インクジェット法等では微細パターンを形成したり、薬物の投与を行なったりするための液体付与方法に使用することができる。
【００７１】
本発明の画像記録方法は、本発明の組成物により優れた画像形成を行なう方法である。本発明の画像記録方法は、好ましくは、インク吐出部から本発明のインク組成物を吐出して被記録媒体上に付与することで記録を行う画像記録方法である。画像形成はインクに熱エネルギーを作用させてインクを吐出するインクジェット法を用いる方法が好ましく用いられる。
【００７２】
本発明のインクジェット用インク組成物を用いるインクジェットプリンタとしては、圧電素子を用いたピエゾインクジェット方式や、熱エネルギーを作用させて発泡し記録を行うバブルジェット（登録商標）方式等、様々なインクジェット記録装置に適用できる。
【００７３】
以下このインクジェット記録装置について図１を参照して概略を説明する。但し、図１はあくまでも構成の一例であり、本願発明を限定するものではない。
図１は、インクジェット記録装置の構成を示すブロック図である。
【００７４】
図１は、ヘッドを移動させて被記録媒体に記録をする場合を示した。図１において、製造装置の全体動作を制御するＣＰＵ５０には、ヘッド７０をＸＹ方向に駆動するためのＸ方向駆動モータ５６およびＹ方向駆動モータ５８がＸモータ駆動回路５２およびＹモータ駆動回路５４を介して接続されている。ＣＰＵの指示に従い、Ｘモータ駆動回路５２およびＹモータ駆動回路５４を経て、このＸ方向駆動モータ５６およびＹ方向駆動モータ５８が駆動され、ヘッド７０の被記録媒体に対する位置が決定される。
【００７５】
図１に示されるように、ヘッド７０には、Ｘ方向駆動モータ５６およびＹ方向駆動モータ５８に加え、ヘッド駆動回路６０が接続されており、ＣＰＵ５０がヘッド駆動回路６０を制御し、ヘッド７０の駆動、即ちインクジェット用インクの吐出等を行う。さらに、ＣＰＵ５０には、ヘッドの位置を検出するためのＸエンコーダ６２およびＹエンコーダ６４が接続されており、ヘッド７０の位置情報が入力される。また、プログラムメモリ６６内に制御プログラムも入力される。ＣＰＵ５０は、この制御プログラムとＸエンコーダ６２およびＹエンコーダ６４の位置情報に基づいて、ヘッド７０を移動させ、被記録媒体上の所望の位置にヘッドを配置してインクジェット用インクを吐出する。このようにして被記録媒体上に所望の描画を行うことができる。また、複数のインクジェット用インクを装填可能な画像記録装置の場合、各インクジェット用インクに対して上記のような操作を所定回数行うことにより、被記録媒体上に所望の描画を行うことができる。
【００７６】
また、インクジェット用インクを吐出した後、必要に応じて、ヘッド７０を、ヘッドに付着した余剰のインクを除去するための除去手段（図示せず）の配置された位置に移動し、ヘッド７０をワイピング等して清浄化することも可能である。清浄化の具体的方法は、従来の方法をそのまま使用することができる。
【００７７】
描画が終了したら、図示しない被記録媒体の搬送機構により、描画済みの被記録媒体を新たな被記録媒体に置き換える。
なお、本発明は、その主旨を逸脱しない範囲で、上記実施形態を修正または変形することが可能である。例えば、上記説明ではヘッド７０をＸＹ軸方向に移動させる例を示したが、ヘッド７０は、Ｘ軸方向（またはＹ軸方向）のみに移動するようにし、被記録媒体をＹ軸方向（またはＸ軸方向）に移動させ、これらを連動させながら描画を行うものであってもよい。
【００７８】
本発明は、インクジェット用インクの吐出を行わせるために利用されるエネルギーとして熱エネルギーを発生する手段（例えば電気熱変換体やレーザ光等）を備え、上記熱エネルギーによりインクジェット用インクを吐出させるヘッドが優れた効果をもたらす。かかる方式によれば描画の高精細化が達成できる。本発明のインクジェット用インク組成物を使用することにより、更に優れた描画を行うことができる。
【００７９】
上記の熱エネルギーを発生する手段を備えた装置の代表的な構成や原理については、米国特許第４７２３１２９号明細書，同第４７４０７９６号明細書に開示されている基本的な原理を用いて行うものが好ましい。この方式は所謂オンデマンド型，コンティニュアス型のいずれにも適用可能であるが、特に、オンデマンド型の場合には、液体が保持され、流路に対応して配置されている電気熱変換体に、吐出情報に対応していて核沸騰を越える急速な温度上昇を与える少なくとも１つの駆動信号を印加することによって、電気熱変換体に熱エネルギーを発生せしめ、ヘッドの熱作用面に膜沸騰を生じさせて、結果的にこの駆動信号に一対一で対応した液体内の気泡を形成できるので有効である。この気泡の成長および収縮により吐出用開口を介して液体を吐出させて、少なくとも１つの滴を形成する。この駆動信号をパルス形状とすると、即時適切に気泡の成長収縮が行われるので、特に応答性に優れた液体の吐出が達成でき、より好ましい。このパルス形状の駆動信号としては、米国特許第４４６３３５９号明細書，同第４３４５２６２号明細書に記載されているようなものが適している。なお、上記熱作用面の温度上昇率に関する発明の米国特許第４３１３１２４号明細書に記載されている条件を採用すると、さらに優れた吐出を行うことができる。
【００８０】
ヘッドの構成としては、上述の各明細書に開示されているような吐出口、液路、電気熱変換体の組合せ構成（直線状液流路または直角液流路）の他に熱作用部が屈曲する領域に配置されている構成を開示する米国特許第４５５８３３３号明細書，米国特許第４４５９６００号明細書を用いた構成も本発明に含まれるものである。加えて、複数の電気熱変換体に対して、共通するスリットを電気熱変換体の吐出部とする構成を開示する特開昭５９−１２３６７０号公報や熱エネルギーの圧力波を吸収する開孔を吐出部に対応させる構成を開示する特開昭５９−１３８４６１号公報に基いた構成としても本発明の効果は有効である。すなわち、ヘッドの形態がどのようなものであっても、本発明によればインクジェット用インクの吐出を確実に効率よく行うことができる。
【００８１】
さらに、本発明の画像記録装置で被記録媒体の最大幅に対応した長さを有するフルラインタイプのヘッドに対しても本発明は有効に適用できる。そのようなヘッドとしては、複数のヘッドの組合せによってその長さを満たす構成や、一体的に形成された１個のヘッドとしての構成のいずれでもよい。
【００８２】
加えて、シリアルタイプのものでも、装置本体に固定されたヘッド、または、装置本体に装着されることで装置本体との電気的な接続や装置本体からのインクの供給が可能になる交換自在のチップタイプのヘッドを用いた場合にも本発明は有効である。
【００８３】
さらに、本発明の装置は、液滴除去手段を更に有していてもよい。このような手段を付与した場合、更に優れた吐出効果を実現できる。
また、本発明の装置の構成として、予備的な補助手段等を付加することは本発明の効果を一層安定化できるので好ましい。これらを具体的に挙げれば、ヘッドに対してのキャッピング手段、加圧または吸引手段、電気熱変換体またはこれとは別の加熱素子、または、これらの組み合わせを用いて加熱を行う予備加熱手段、インクの吐出とは別の、吐出を行なうための予備吐出手段などを挙げることができる。
【００８４】
本発明に対して最も有効なものは、上述した膜沸騰方式を実行するものである。
本発明の装置では、インクジェット用インクの吐出ヘッドの各吐出口から吐出されるインクの量が、０．１ピコリットルから１００ピコリットルの範囲であることが好ましい。
【００８５】
また、本発明のインク組成物は、中間転写体にインクを印字した後、紙等の記録媒体に転写する記録方式等を用いた間接記録装置にも用いることができる。また、直接記録方式による中間転写体を利用した装置にも適用することができる。
【実施例】
【００８６】
以下、実施例により本発明を詳細に説明するが、本発明はこれらの実施例に限定されない。
実施例１
＜ブロックポリマー化合物の合成＞
下記の反応式に示すように、モノマー１（０．１０ｍｏｌ）、ＩＢＥＡ（イソブチルエチルアセテート、０．０００２０ｍｏｌ）、エチルアルミニウムダイクロライド（０．００１０ｍｏｌ）を０．１０Ｍ酢酸エチルを含む無水トルエン中でカチオン重合し、モノマー２（０．０２０ｍｏｌ）、モノマー３（０．０２０ｍｏｌ）を順次加えることでブロックポリマー化合物を得た。
【００８７】
アンモニアメタノール溶液で反応を停止後、ヒドラジンでフタルイミドを還元して、塩酸で処理しブロックポリマー化合物４を得た。排除体積クロマトグラフィーによる数平均分子量は１６０００であった。
【００８８】
【化６】
2006342267.tif 000007
【００８９】
（注）
ＩＢＥＡ：ＣＨ３ＣＨ（Ｏ−ｉＢｕ）ＯＣＯＣＨ３
【００９０】
実施例２
顔料（商品名モーグルＬ、キャボット社製）２質量部、実施例１のブロックポリマー化合物１質量部、およびジエチレングリコール１５質量部をイオン交換水９９質量部に加え、超音波ホモジナイザーを用いて分散させる。１μｍのフィルターを通して加圧濾過し、インク組成物を調製する。顔料の分散性は良好である。
【００９１】
実施例３
実施例２で調製したインク組成物を用いて、インクジェット記録を行う。キヤノン（株）製バブルジェット（登録商標）プリンタ（商品名  ＢＪＦ８００）のインクタンクに実施例２のインク組成物を充填し、前記インクジェットプリンタを用いて普通紙に記録すると、きれいに黒字の印字ができる。その反射濃度を反射濃度計（ＧＲＥＴＡＧ−ＭＡＣＢＥＴＨ  ＡＧ）を用いて測定すると１．１であった。
【００９２】
実施例４
実施例１で得られたブロックポリマー化合物を使用して以下のようにトナー組成物を作成する。
【００９３】
ポリエステル樹脂（ビスフェノールＡ、テレフタル酸、ｎ−ドデセニルコハク酸、トリメリット酸、ジエチレングリコールをモル比で２０：３８：１０：５：２７で合成）１００質量部、マグネタイト（Ｆｅ3 Ｏ4 ）７０質量部、ブロックポリマー化合物２質量部、トリフェニルメタン系染料２質量部、低分子量ポリプロピレン３質量部を予備混合した後、ルーダーで溶融混錬する。これを冷却後、スピードミルで粗砕後ジェットミルで微粉砕し、さらにジグザグ分級機を用いて分級すると、体積平均径１１μｍのトナーが得られる。
【００９４】
このトナー１００質量部にアミノ変性シリコンオイル（２５℃における粘度１００ｃｐ、アミン当量８００）で処理された正荷電性疎水性乾式シリカ０．４質量部および平均粒径０．２μｍの球状ＰＶＤＦ粒子０．２質量部を加え、ヘンシェルミキサーで混合すると正帯電性トナー組成物が得られる。このトナー組成物を使用し、キヤノン社製複写機ＮＰ−３５２５で印刷を行うと、きれいに印字できる。
【００９５】
比較例１
市販品ポリ（スチレン−ｂ−アクリル酸）（Ｍn ＝１４０００、Ｍw ／Ｍn ＝１．１１）を用いて、実施例２と同様に分散体を調整した。０．５μＬをろ紙（桐山製作所Ｎｏ５Ｃ）に滴下し、風乾後、反射濃度計（ＧＲＥＴＡＧ−ＭＡＣＢＥＴＨ  ＡＧ）を用いて反射濃度を測定すると０．８５であった。同様に、実施例２で得た本発明の分散体の反射濃度を測定すると１．１であった。これより、本発明のブロックポリマー化合物を用いた色材分散体が記録時の反射濃度を増加する効果があることがわかる。
【産業上の利用可能性】
【００９６】
本発明のブロックポリマー化合物は、色材や固形物の分散性を良好にし、記録物の反射濃度の向上の為に好適なために、溶媒または分散媒、色材とともに配合することにより、インク組成物、トナー組成物等の組成物および記録材料、該記録材料を使用した画像記録方法および画像記録装置に利用することができる。
【図面の簡単な説明】
【００９７】
【図１】インクジェット記録装置の構成を示すブロック図である。
【符号の説明】
【００９８】
２０  インクジェット装置
５０  ＣＰＵ
５２  Ｘモータ駆動回路
５４  Ｙモータ駆動回路
５６  Ｘ方向駆動モータ
５８  Ｙ方向駆動モータ
６０  ヘッド駆動回路
６２  Ｘエンコーダ
６４  Ｙエンコーダ
６６  プログラムメモリ
７０  ヘッド
【図１】
2006342267.tif 000010